(57)【要約】【課題】人手による作業を行うことなく、デジタルデータから聴感上の不快要素の抽出あるいは除去が可能なアナログ音源のデジタル化データ記録装置およびデジタルデータ再生装置を提供すること。【解決手段】アナログ音源１を再生装置２により再生した際に発生した聴感上の不快要素を含むデジタルサウンドファイル４をデジタルシグナルプロセサ７で構成されるサウンド解析部８に入力する。サウンド解析部８では、レベル解析９および周波数解析１０を行う。この結果に基づき、サウンド情報生成部１１は、聴感上の不快要素を自動的に抽出し、抽出結果に関する情報を記録したサウンド情報ファイル１２を生成する。このサウンド情報ファイル１２の情報に基づき、デジタルシグナルプロセサ７でアダプティブエフェクト処理１５を行うことにより、デジタルサウンドファイル４から聴感上の不快要素を自動的に除去できる。【選択図】  図７
2004157202.tif 000002
【特許請求の範囲】
【請求項１】
アナログ音源から再生されたアナログデータをアナログ−デジタル変換して得られたデジタルデータの有するサウンド成分をデジタルシグナルプロセサにより解析するサウンド解析部と、
前記サウンド解析部の解析結果に基づき、前記デジタルデータに存在する聴感上の過不足要素を抽出して記録したサウンド情報ファイルを生成するサウンド情報生成部と、
前記デジタルデータをデジタルデータ記録媒体に記録するデジタルデータ記録部とを
具備することを特徴とするアナログ音源のデジタル化データ記録装置。
【請求項２】
音源となるデジタルデータを記録するデジタルデータ記録媒体を読み取る読み取り装置と、
前記デジタルデータ記録媒体に記録された前記デジタルデータに存在する聴感上の過不足要素を抽出して記録したサウンド情報ファイルの情報に基づき、前記デジタルデータに存在する聴感上の過不足要素を除去するように前記デジタルデータをデジタルシグナルプロセサにより補正する補正部とを
具備することを特徴とするデジタルデータ再生装置。
【請求項３】
アナログ音源から再生されたアナログデータをアナログ−デジタル変換して得られたデジタルデータの有するサウンド成分をデジタルシグナルプロセサにより解析するサウンド解析部と、
前記サウンド解析部の解析結果に基づき、前記デジタルデータに存在する聴感上の過不足要素を抽出して記録したサウンド情報ファイルを生成するサウンド情報生成部と、
前記サウンド情報ファイルに記録された情報に基づき、前記デジタルデータに存在する聴感上の過不足要素を除去するように前記デジタルデータを前記デジタルシグナルプロセサにより補正する補正部と、
前記補正部より出力された補正済みデジタルデータをデジタルデータ記録媒体に記録するデジタルデータ記録部とを
具備することを特徴とするアナログ音源のデジタル化データ記録装置。
【請求項４】
アナログ音源から再生されたアナログデータをアナログ−デジタル変換して得られたデジタルデータのサウンド成分を解析して心理聴覚分析を行う心理聴覚分析部を有し、前記心理聴覚分析部の心理聴覚分析結果に基づいて前記デジタルデータを圧縮符号化するエンコーダと、
前記心理聴覚分析部における前記デジタルデータの前記サウンド成分の解析結果を利用して、前記デジタルデータに存在する聴感上の過不足要素を抽出して記録したサウンド情報ファイルを生成するサウンド情報生成部と、
前記エンコーダより出力された圧縮符号化デジタルデータをデジタルデータ記録媒体に記録するデジタルデータ記録部とを
具備することを特徴とするアナログ音源のデジタル化データ記録装置。
【請求項５】
前記圧縮符号化の方式をＭＰ３（ＭＰＥＧ−１オーディオ・レイヤＩＩＩ）とし、
前記サウンド情報ファイルをＩＤ３ｖ２形式のタグファイルに格納した
ことを特徴とする請求項４に記載のアナログ音源のデジタル化データ記録装置。
【請求項６】
前記エンコーダをデジタルシグナルプロセサとすることを特徴とする請求項４または５に記載のアナログ音源のデジタル化データ記録装置。
【請求項７】
圧縮符号化デジタルデータおよび圧縮符号化する前のデジタルデータに存在する聴感上の過不足要素を抽出して記録したサウンド情報ファイルを入力とし、前記サウンド情報ファイルの情報に基づき聴感上の過不足要素を補正しながら前記圧縮符号化デジタルデータを復号化するデコーダを具備することを特徴とするデジタルデータ再生装置。
【請求項８】
前記圧縮符号化の方式をＭＰ３（ＭＰＥＧ−１オーディオ・レイヤＩＩＩ）とし、
前記サウンド情報ファイルがＩＤ３ｖ２形式のタグファイルに格納された
ことを特徴とする請求項７に記載のデジタルデータ再生装置。
【請求項９】
前記デコーダをデジタルシグナルプロセサとすることを特徴とする請求項７または８に記載のデジタルデータ再生装置。
【請求項１０】
アナログ音源から再生されたアナログデータをアナログ−デジタル変換して得られたデジタルデータのサウンド成分を解析して心理聴覚分析を行う心理聴覚分析部を有し、前記心理聴覚分析部の心理聴覚分析結果に基づいて前記デジタルデータを圧縮符号化するエンコーダと、
前記心理聴覚分析部における前記デジタルデータの前記サウンド成分の解析結果を利用して、前記デジタルデータに存在する聴感上の過不足要素を抽出して記録したサウンド情報ファイルを生成するサウンド情報生成部と、
前記エンコーダより出力された圧縮符号化デジタルデータおよび前記サウンド情報ファイルを入力とし、前記サウンド情報ファイルの情報に基づき聴感上の過不足要素を補正しながら前記圧縮符号化デジタルデータを復号化するデコーダとを具備することを特徴とするアナログ音源のデジタル化データ記録／再生装置。
【請求項１１】
前記圧縮符号化の方式をＭＰ３（ＭＰＥＧ−１オーディオ・レイヤＩＩＩ）とし、
前記サウンド情報ファイルをＩＤ３ｖ２形式のタグファイルに格納した
ことを特徴とする請求項１０に記載のアナログ音源のデジタル化データ記録／再生装置。
【請求項１２】
前記エンコーダおよび前記デコーダをデジタルシグナルプロセサにより構成することを特徴とする請求項１０に記載のアナログ音源のデジタル化データ記録／再生装置。
【請求項１３】
請求項１０に記載の記録／再生装置において、圧縮符号化された前記デジタルデータを記録媒体に記録するデジタルデータ記録部を設け、このデジタル記録媒体に記録した前記圧縮符号化デジタルデータを読み出して前記デコーダに入力することを特徴とするアナログ音源のデジタル化データ記録／再生装置。
【発明の詳細な説明】
【０００１】
【発明の属する技術分野】
本発明は、アナログ音源再生に伴い発生する聴感上の不快要素を自動的に除去することを可能にするアナログ音源のデジタル化データ記録装置およびデジタルデータ再生装置に関する。
【０００２】
【従来の技術】
昨今、レコードや磁気テープなどのアナログ音源に記録されたアナログデータをデジタル化してデジタルデータとして記録することが盛んに行われている。アナログデータのデジタル化に際しては、まずレコードや磁気テープの再生装置よる再生が必要となる。ところが、この再生に付随して雑音や音の歪みなどの発生することがあり、また再生音量が小さ過ぎることがある。
【０００３】
雑音や歪みはいわば元の音に付加されたものであり、聴感上の余分な要素である。一方、再生音量が小さ過ぎることは、再生音に物足りなさを感じさせる聴感上の不足要素となる。このような聴感上の過不足要素は再生音を聴く者に不快感を引き起こすことがある。
【０００４】
このような聴感上の過不足要素の例を列挙すると
１．レコード再生における「プチッ」という雑音、いわゆるクラックルノイズ
２．磁気テープ再生における高音の「サー」という雑音、いわゆるヒスノイズ
３．再生音量が大き過ぎてデジタル記録可能レベルの最大値に張り付くクリップ現象
４．再生音量が小さ過ぎてダイナミックレンジが狭い
５．音の大きなところと小さなところの差が大き過ぎる
６．曲によってレベルが異なる
７．曲ごとの切れ目がない
などがある。
【０００５】
これらのうち、雑音やレベルの大小はそのままデジタルデータとして記録されるため、記録されたデジタルデータを再生すると、やはり聴感上の不快感を催す。
【０００６】
そこで、これらの聴感上の不快要素を除去するため、従来、例えばパーソナルコンピュータ上で音声データの加工／編集ソフトウェアを用いて作業者がデジタルデータを加工／編集することが行われていた。
【０００７】
図１０は、デジタルデータの加工／編集に用いられる従来のソフトウェアによるデジタルデータの加工／編集処理を含むアナログ音源のデジタル化データ記録装置の例を示すブロック図である。
【０００８】
レコードや磁気テープなどのアナログ音源１をレコードプレーヤやテープレコーダなどの再生装置２で再生して得られたアナログデータは、Ａ／Ｄコンバータ３によりデジタル化され、デジタルサウンドファイル４として記憶部１５１に保存される。
【０００９】
記憶部１５１に記憶されたデジタルサウンドファイルをデジタルサウンドファイル加工／編集ソフトウェアにより加工／編集して聴感上の不快要素を取り除く。このため、加工／編集作業者は、デジタルサウンドファイル加工／編集制御部１５２に再生コマンドを与えて記憶部１５１に記憶されたデジタルサウンドファイルの再生１５３を行って聴感上の問題点を探り、サウンド解析コマンドを与えて波形や周波数スペクトラム、音量などのサウンド解析１５４を行い、その結果を見ながら加工／編集すべき内容と位置を決定し、加工／編集コマンドを与えて上記デジタルサウンドファイルの加工／編集１５５を行う。
【００１０】
加工／編集後のデジタルサウンドファイルは記憶部１５１に保存され、加工／編集済みデジタルサウンドファイル１５６として記録装置５を介してデジタルデータ記録媒体１５７に記録される。
【００１１】
図１１は、上記デジタルサウンドファイル加工／編集ソフトウェアを使用する際の処理フロー図である。
【００１２】
処理を開始（ステップＳ１０１）後、まず記憶部１５１に記憶されたデジタルサウンドファイルを再生（ステップＳ１０２）して聴感上の問題点の抽出を行う。次いで問題点付近の再生音のサウンド解析を行い（ステップＳ１０４）、解析結果表示を行う（ステップＳ１０５）。解析結果の表示内容としては、波形、周波数スペクトラム分布、音量などがある。
【００１３】
この結果を見ながらデジタルサウンドファイルの加工／編集の内容とファイル上の加工／編集位置を決め、加工／編集指示を出す（ステップＳ１０５）。加工／編集の内容としては、例えばクラックルノイズの場合は発生点のファイルからの削除、ヒスノイズの場合は高周波成分をカットするフィルタ処理、音量に関わる問題であればレベル最適化調整などである。
【００１４】
加工／編集実行（ステップＳ１０６）後、その結果を再生し（ステップＳ１０７）、聴感上満足できる結果どうかを判定する（ステップＳ１０８）。
【００１５】
不満の場合は、ステップＳ１０５に戻って加工／編集の内容や加工／編集の位置の変更、もしくは、ステップＳ１０３まで戻ってサウンド解析のやり直しからの再度の処理を行う。これを満足できる結果が出るまで繰り返す。
【００１６】
ステップＳ１０８で満足できる結果と判定できた場合は、ファイルを記憶部１５１に保存して（ステップＳ１０９）、処理を終了する（ステップＳ１１０）。
【００１７】
【発明が解決しようとする課題】
しかし、上記従来のアナログ音源のデジタル化データ記録装置における、ソフトウェアによるデジタルデータからの聴感上の不快要素の抽出および除去作業には次のような問題があった。
【００１８】
それは、この作業が人手によるものである上、聴感上満足できる結果を得るまでには、通常、加工／編集を何度も繰り返し行う必要があるため、その作業に非常に手間と時間が掛かることである。
【００１９】
そこで、本発明の目的は、デジタルデータから聴感上の不快要素の抽出あるいは除去を行う作業の省力化が可能な、アナログ音源のデジタル化データ記録装置、デジタルデータ再生装置およびアナログ音源のデジタル化データ記録／再生装置を提供することにある。
【００２０】
【課題を解決するための手段】
上記目的を達成するために、本発明のアナログ音源のデジタル化データ記録装置は、アナログ音源から再生されたアナログデータをアナログ−デジタル変換して得られたデジタルデータの有するサウンド成分をデジタルシグナルプロセサにより解析するサウンド解析部と、前記サウンド解析部の解析結果に基づき、前記デジタルデータに存在する聴感上の過不足要素を抽出して記録したサウンド情報ファイルを生成するサウンド情報生成部と、前記デジタルデータをデジタルデータ記録媒体に記録するデジタルデータ記録部とを具備することを特徴とする。
【００２１】
このような本発明のアナログ音源のデジタル化データ記録装置によれば、デジタルデータに取り込まれた聴感上の不快要素の抽出作業の省力化を図ることができる。また、抽出した聴感上の不快要素に関する情報を記録したサウンド情報ファイルを生成することができる。
【００２２】
また、上記目的を達成するために、本発明のデジタルデータ再生装置は、デジタルデータ記録媒体を読み取る読み取り装置と、前記デジタルデータ記録媒体に記録されたデジタルデータに存在する聴感上の過不足要素を抽出して記録したサウンド情報ファイルの情報に基づき、前記デジタルデータに存在する聴感上の過不足要素を除去するように前記デジタルデータをデジタルシグナルプロセサにより補正する補正部とを具備することを特徴とする。
【００２３】
このような本発明のデジタルデータ再生装置によれば、サウンド情報ファイルの情報に基づいてデジタルデータに含まれる聴感上の不快要素を除去することができ、上記除去作業の省力化を図ることができる。
【００２４】
また、上記目的を達成するために、本発明の別のアナログ音源のデジタル化データ記録装置は、アナログ音源から再生されたアナログデータをアナログ−デジタル変換して得られたデジタルデータの有するサウンド成分をデジタルシグナルプロセサにより解析するサウンド解析部と、前記サウンド解析部の解析結果に基づき、前記デジタルデータに存在する聴感上の過不足要素を抽出して記録したサウンド情報ファイルを生成するサウンド情報生成部と、前記サウンド情報ファイルに記録された情報に基づき、前記デジタルデータに存在する聴感上の過不足要素を除去するように前記デジタルデータを前記デジタルシグナルプロセサにより補正する補正部と、前記補正部より出力された補正済みデジタルデータをデジタルデータ記録媒体に記録するデジタルデータ記録部とを具備することを特徴とする。
【００２５】
このような本発明のアナログ音源のデジタル化データ記録装置によれば、デジタルデータに取り込まれた聴感上の不快要素を抽出および除去する作業の省力化を図ることができる。
【００２６】
また、上記目的を達成するために、本発明の更に別のアナログ音源のデジタル化データ記録装置は、アナログ音源から再生されたアナログデータをアナログ−デジタル変換して得られたデジタルデータのサウンド成分を解析して心理聴覚分析を行う心理聴覚分析部を有し、前記心理聴覚分析部の心理聴覚分析結果に基づいて前記デジタルデータを圧縮符号化するエンコーダと、前記心理聴覚分析部における前記デジタルデータの前記サウンド成分の解析結果を利用して、前記デジタルデータに存在する聴感上の過不足要素を抽出して記録したサウンド情報ファイルを生成するサウンド情報生成部と、前記エンコーダより出力された圧縮符号化デジタルデータをデジタルデータ記録媒体に記録するデジタルデータ記録部とを具備することを特徴とする。
【００２７】
このような本発明のアナログ音源のデジタル化データ記録装置によれば、圧縮符号化用エンコーダで実行される心理聴覚分析の結果を利用して、デジタルデータに取り込まれた聴感上の不快要素の抽出ができ、上記抽出作業の省力化を図ることができる。また、抽出した聴感上の不快要素に関する情報を記録したサウンド情報ファイルを生成することができる。
【００２８】
また、上記目的を達成するために、本発明の別のデジタルデータ再生装置は、圧縮符号化デジタルデータおよびデジタル化のためのアナログ音源の再生に付随して発生した聴感上の不快要素を抽出して記録したサウンド情報ファイルを入力とし、前記サウンド情報ファイルの情報に基づき聴感上の不快要素を除去しながら前記圧縮符号化デジタルデータを復号化するデコーダを具備することを特徴とする。
【００２９】
このような本発明のデジタルデータ再生装置によれば、デジタルデータに含まれる聴感上の不快要素の除去作業の省力化を図ることができる。
【００３０】
また、上記目的を達成するために、本発明のアナログ音源のデジタルデータ記録／再生装置は、アナログ音源から再生されたアナログデータをアナログ−デジタル変換して得られたデジタルデータのサウンド成分を解析して心理聴覚分析を行う心理聴覚分析部を有し、前記心理聴覚分析部の心理聴覚分析結果に基づいて前記デジタルデータを圧縮符号化するエンコーダと、前記心理聴覚分析部における前記デジタルデータの前記サウンド成分の解析結果を利用して、前記デジタルデータに存在する聴感上の過不足要素を抽出して記録したサウンド情報ファイルを生成するサウンド情報生成部と、前記エンコーダより出力された圧縮符号化デジタルデータおよび前記サウンド情報ファイルを入力とし、前記サウンド情報ファイルの情報に基づき聴感上の過不足要素を補正しながら前記圧縮符号化デジタルデータを復号化するデコーダとを具備することを特徴とする。
【００３１】
このような本発明のアナログ音源のデジタル化データ記録／再生装置によれば、圧縮符号化用エンコーダで実行される心理聴覚分析の結果を利用して、デジタルデータに取り込まれた聴感上の不快要素の抽出ができ、上記抽出作業の省力化を図ることができる。また、抽出した聴感上の不快要素に関する情報を記録したサウンド情報ファイルを生成することができ、このサウンド情報ファイルの情報に基づいてデジタルデータに含まれる聴感上の不快要素を除去することができ、上記除去作業の省力化を図ることができる。
【００３２】
【発明の実施の形態】
以下、図面を参照しながら本発明の実施の形態を説明する。
【００３３】
（記録装置の第１の実施の形態）
図１は、本発明に係るアナログ音源のデジタル化データ記録装置の第１の実施の形態の構成を示すブロック図である。
【００３４】
本実施の形態におけるアナログ音源のデジタル化データ記録装置においては、アナログ音源１に記録されたアナログデータは、再生装置２およびＡ／Ｄコンバータ３を介してデジタルデータ化され、デジタルサウンドファイル４として、そのまま記録装置５によりＣＤ、ＤＶＤ等のデジタルデータ記録媒体６に記録される。
【００３５】
一方、この記録とは別に、デジタルサウンドファイル４に対しては、デジタルシグナルプロセサ（以降、ＤＳＰと称す。）７のサウンド解析部８により、周波数解析９およびレベル解析１０が行われる。
【００３６】
次いで、サウンド情報生成部１１が、このレベル解析９および周波数解析１０の結果を利用して、アナログ音源１の再生に付随して発生した聴感上の不快要素を抽出し、この抽出結果を記録したファイルを生成し、サウンド情報ファイル１２として出力する。ここで、＃１、＃２、ＣＬ、ＰＫ、ＸｃおよびＣＲは、上記抽出処理に用いるレジスタを示している。
【００３７】
図２および図３に聴感上の不快要素の抽出および記録に関する処理フローを示す。
【００３８】
図２は、レベル解析９の結果に基づいて聴感上の不快要素を抽出するための処理フロー図である。なお、ここではデジタルサウンドファイル４にはＮ個のデータが含まれており、それぞれにレベル解析９の結果得られたレベルに関するデータＸｎがあるものとする。すなわち、レベル解析９の結果、Ｘ０からＸＮ−１までのＮ個のレベルに関するデータが得られたものとする。
【００３９】
また、この処理で抽出される聴感上の不快要素は、デジタルサウンドファイル４中でレベルが最大値に張り付いている位置を示すクリップ情報（ＣＬ値）およびデジタルサウンドファイル４中の最大レベル値を示すピーク値情報（ＰＫ値）ならびにクラップルノイズの発生位置を示すクラップルノイズ情報（ＣＲ値）とする。
【００４０】
処理が開始されると（ステップＳ１）、まず図１のサウンド情報生成部１１を構成する３つのレジスタ＃１、ＰＫ、Ｘｃの初期設定が行われる（ステップＳ２）。ここで、クリップ情報抽出用レジスタ＃１、ピーク値情報用レジスタＰＫ、クラップルノイズ情報用レジスタＸｃに、それぞれレベルデータＸ０が書き込まれる。なお、ＣＬ値用レジスタＣＬとＣＲ値用レジスタＣＲには初期値の書き込みは行われない。したがってその値は不定（図２中＊と表す。）である。
【００４１】
次に読み込むデータの順番ｎを一つ進め（ステップＳ３）、次のデータＸ１を読み込む（ステップＳ４）。以降は抽出対象の情報ごとに処理のステップが分かれるので、以下、それぞれのフローを分けて説明する。
【００４２】
１．クリップ情報抽出処理フロー（ステップＳ５からステップＳ９まで）
まず、第２のレジスタ＃２にデータＸ１を書き込む（ステップＳ５）。次いでレジスタ＃１とレジスタ＃２の値がともに最大値（ＦＳ）かどうかチェックする（ステップＳ６）。もし、ともに最大値であれば（Ｙｅｓ）、レジスタＣＬにデータの順番１を書き込み（ステップＳ７）、レジスタＣＬの値をサウンド情報ファイル１２に記録する（ステップＳ８）。そしてレジスタ＃１を新しいデータＸ１に書き換える（ステップＳ９）。
【００４３】
もし、ステップＳ６において、レジスタ＃１とレジスタ＃２の値がともに最大値（ＦＳ）であることがなければ（Ｎｏ）、ステップＳ９へ進む。
【００４４】
２．ピーク値情報抽出処理フロー（ステップＳ１０からステップＳ１１まで）レジスタＰＫの値と新たに読み込んだデータＸ１とを比較して（ステップＳ１０）、Ｘ１が大きければ（Ｙｅｓ）、レジスタＰＫの値をデータＸ１に書き換える（ステップＳ１１）。
【００４５】
もし、Ｘ１がＰＫより大きくなければ（Ｎｏ）、後述のステップＳ１６へ進む。
【００４６】
３．クラップルノイズ情報抽出処理フロー（ステップＳ１２からステップＳ１５まで）
まず、新たに読み込んだデータＸ１とレジスタＸｃの値との差を取り、この差が所定の値Ｋより大きいかどうかチェックする（ステップＳ１２）。もし、その差がＫより大きければ（Ｙｅｓ）、レジスタＣＲにデータの順番１を書き込み（ステップＳ１３）、レジスタＣＲの値をサウンド情報ファイル１２に記録する（ステップ１４）。そしてレジスタＣＲを新しいデータＸ１に書き換える（ステップＳ１５）。
【００４７】
以降、ステップ１６およびステップ１７を経て、データの順番ｎが最大値（Ｎ−１）に達するまで、上記の各情報抽出処理フローを繰り返す。
【００４８】
データの順番ｎが最大値（Ｎ−１）に達すると、レジスタＣＲの値をサウンド情報ファイル１２に記録し（ステップＳ１８）、終了する（ステップＳ１９）。
【００４９】
図３は、周波数解析１０を用いて聴感上の不快要素を抽出するための処理フロー図である。
【００５０】
ここでは、処理の開始（ステップＳ５１）をサウンド解析部８によるデジタルサウンドファイル４の読み込み（ステップＳ５２）としている。読みこまれたデジタルサウンドファイル４に対して、周波数解析１０は、高速フーリエ変換（ステップＳ５３）を行い、周波数スペクトラムごとの振幅の大きさを示すデータである振幅スペクトラムデータを生成する（ステップＳ５４）。
【００５１】
この振幅スペクトラムデータを用いて、以降、サウンド情報生成部１１がヒスノイズ情報およびハムノイズ情報の抽出処理を行う。ここでは、それぞれの抽出処理に分けてフローの説明を行う。
【００５２】
１．ヒスノイズ情報抽出処理フロー（ステップＳ５５からステップＳ６１まで）
振幅スペクトラムデータから高周波成分を抽出（ステップＳ５５）し、その振幅レベルが所定のしきい値より大きいかどうかチェックする（ステップＳ５６）。レベルがしきい値より大きければ（Ｙｅｓ）、サウンド情報ファイル１２に、ヒスノイズがあることおよびそのレベルを情報として記録（ステップＳ５７）し、終了する（ステップＳ６１）。もし、レベルがしきい値より大きくなければ（Ｎｏ）、サウンド情報ファイル１２には何も記録せず、そのまま終了する（ステップＳ６１）。
【００５３】
２．ハムノイズ情報抽出処理フロー（ステップＳ５８からステップＳ６１まで）
振幅スペクトラムデータから商用電源周波数成分（５０Ｈｚもしくは６０Ｈｚ）を抽出（ステップＳ５８）し、その振幅レベルが所定のしきい値より大きいかどうかチェックする（ステップＳ５９）。レベルがしきい値より大きければ（Ｙｅｓ）、サウンド情報ファイル１２に、ハムノイズがあることおよびそのレベルを情報として記録（ステップＳ６０）し、終了する（ステップＳ６１）。もし、レベルがしきい値より大きくなければ（Ｎｏ）、サウンド情報ファイル１２には何も記録せず、そのまま終了する（ステップＳ６１）。
【００５４】
このように本実施の形態のアナログ音源のデジタル化データ記録装置によれば、デジタルサウンドファイルに含まれる聴感上の不快要素を抽出する作業の省力化を図ることができる。また、抽出した聴感上の不快要素に関する情報を記録したサウンド情報ファイルを生成することができる。
【００５５】
（再生装置の第１の実施の形態）
図４は、本発明に係るデジタルデータ再生装置の第１の実施の形態の構成を示すブロック図である。なお、本図におけるデジタルデータ記録媒体６およびサウンド情報ファイル１２は、上述した本発明の第１の実施の形態のアナログ音源のデジタル化データ記録装置より生成されたものとする。
【００５６】
デジタルデータ記録媒体６より読み取り装置１３にて読み取られたデジタルサウンドファイル４は、ＤＳＰ７で構成される補正部１４に入力される。補正部１４は、入力されたデジタルサウンドファイル４に対して、サウンド情報ファイル１２に記された情報を利用して、聴感上の不快要素を除去するための後述するアダプティブエフェクト処理１５を行う。アダプティブエフェクト処理１５の済んだデジタルデータは、補正部１４よりＤ／Ａコンバータ１６に入力され、アナログデータに変換されて、聴感上の不快感を催さないアナログ出力１７として出力される。
【００５７】
図５は、ここで用いるサウンド情報ファイル１２に含まれる情報の例を示す表である。記録される情報の種類としては、「クリップ」、「クラックルノイズ」、「ピークレベル」、「ヒスノイズあり」、「ハムノイズあり」がある。
【００５８】
情報の内容としては、「クリップ」と「クラックルノイズ」に対しては、それぞれが抽出された都度のデータのデータ番号、「ピークレベル」に対しては、ピークが抽出されたデータのデータ値、「ヒスノイズあり」と「ハムノイズあり」に対しては、それぞれの振幅スペクトラムのレベルが、それぞれデータとして記録されている。
【００５９】
図６は、サウンド情報ファイル１２の情報の種類のそれぞれに対して、補正部１４で行われるアダプティブエフェクト処理１５の内容と効果を説明する表である。
【００６０】
「クリップ」に対しては、該当番号のデータを補正部４内の低域通過フィルタに通して該当データの高調波成分を除去し、急激なレベルの変動を平滑化する。
【００６１】
「クラックルノイズ」に対しては、該当番号のデータをサウンド情報ファイル１２から削除する。これによりクラックルノイズは除去される。
【００６２】
「ピークレベル」に対しては、デジタルサウンドファイル４全体のレベルを補正してダイナミックレンジの一定化を図る。
【００６３】
「ヒスノイズあり」に対しては、デジタルサウンドファイル４全体を補正部４内の高域阻止フィルタに通す。これによりヒスノイズは除去される。
【００６４】
「ハムノイズあり」に対しては、デジタルサウンドファイル４全体から５０Ｈｚもしくは６０Ｈｚ成分を除去する。これによりハムノイズは除去される。
【００６５】
以上のような処理がＤＳＰ７により自動的に行われる。
【００６６】
このように本実施の形態デジタルデータ再生装置によれば、サウンド情報ファイルの情報に基づいてデジタルサウンドファイルに含まれる聴感上の不快要素を除去することができ、上記除去作業の省力化を図ることができる。
【００６７】
（記録装置の第２の実施の形態）
図７は、本発明に係るアナログ音源のデジタル化データ記録装置の第２の実施の形態の構成を示すブロック図である。
【００６８】
本実施の形態においてもアナログ音源１に記録されたアナログデータが再生装置２およびＡ／Ｄコンバータ３を介してデジタルサウンドファイル４に変換され、このデジタルサウンドファイル４に対するＤＳＰ７によるサウンド解析部８のレベル解析９と周波数解析１０に基づき、サウンド情報生成部１１によりサウンド情報ファイル１２が生成されることは、上述した記録装置の第１の実施の形態と同じであり、ここでは詳しい説明を省略する。
【００６９】
本実施の形態が記録装置の第１の実施の形態と異なる点は、ＤＳＰ７に再生装置の第１の実施の形態で説明した補正部１４が含まれていることである。本実施の形態においては、ＤＳＰ７に入力されたデジタルサウンドファイル４は、サウンド解析部８に入力されるとともに補正部１４にも入力される。また、補正部１４にはサウンド情報ファイル１２も入力される。
【００７０】
補正部１４では、サウンド情報ファイル１２の情報を利用してアダプティブエフェクト処理１５が行われる。アダプティブエフェクト処理１５の内容は、第２の実施の形態の説明で述べたものと同じものなので、ここでは詳しい説明を省略する。
【００７１】
アダプティブエフェクト処理１５が済み、補正部１４から出力された補正済みデジタルサウンドファイル１８は、聴感上の不快要素が除去されたデジタルデータである。
【００７２】
補正済みデジタルサウンドファイル１８は、記録装置５により、ＣＤ、ＤＶＤ等のデジタルデータ記録媒体１９に記録される。
【００７３】
このような本実施の形態のアナログ音源のデジタル化データ記録装置によれば、聴感上の不快要素が除去されたデジタルデータをデジタル記録媒体に記録できる。したがって、デジタル記録媒体を従来のデジタルデータ再生装置で再生しても、聴感上の不快感を引き起こさないアナログデータを得ることができる。
【００７４】
（記録／再生装置の第１の実施の形態）
図８は、本発明に係るＭＰ３エンコーダおよびＭＰ３デコーダを有するアナログ音源のデジタル化データ記録／再生装置の第１の実施の形態の構成を示すブロック図である。
【００７５】
アナログ音源をデジタル化する場合、データ量を少なくするため、デジタルデータを圧縮符号化することがよく行われる。最近では特に、高圧縮率ながら高音質であることが注目されて、国際規格のＭＰ３が圧縮符号化の方式としてよく用いられている。ＭＰ３では、最小可聴限界（周波数に依存して聞き取れるレベルの最小レベルが存在）とマスキング効果（大きな音が存在するとその周辺の周波数の低レベルの音が聞こえない）という人間の聴覚の特性（心理的聴覚）を利用して、聴覚上聞き取れないデータは切り捨てるという方法でデータを効率よく圧縮している。
【００７６】
図８では、アナログ音源のデジタル化データ記録装置は、ＤＳＰ７を用いて、デジタルサウンドファイル４に対してＭＰ３方式符号データ２７を出力するＭＰ３エンコーダ２１により構成されている。
【００７７】
ＭＰ３エンコーダ２１に入力されたデジタルサウンドファイル４は、ハイブリッドフィルタバンク２２で周波数帯域が３２個のサブバンドに分割されると同時に、心理聴覚分析部２３において高速フーリエ変換２４により周波数スペクトラムデータが生成される。心理聴覚分析部２３では引き続き、心理聴覚分析２５により、この周波数スペクトラムデータに基づく周波数ごとのレベル解析を行い、聴覚の最小可聴限界とマスキング効果を利用して切り捨てるべきデータの情報を抽出する。
【００７８】
この心理聴覚分析部２３で抽出された情報に基づき、ハイブリッドフィルタバンク２２の出力に対して、サブバンド周波数帯域ごとに割り当てる量子化ビット数を最適化して量子化２６を行い、ハフマン符号による符号化２７を行ってＭＰ３方式符号データ２８を出力する。
【００７９】
このＭＰ３方式符号データ２８は、図示しない記録媒体に一旦記録することもできる。
【００８０】
上述したように、心理聴覚分析部２３においては、デジタルサウンドファイル４の周波数分析およびレベル分析が行われている。したがって、この周波数分析およびレベル分析の結果を利用すれば、上述した記録装置の第１の実施の形態あるいは第２の実施の形態と同様に、デジタルサウンドファイル４に含まれる聴感上の不快要素を抽出することができる。
【００８１】
そのため、心理聴覚分析部２３の出力を入力とするサウンド情報生成部２９を設け、図２および図３に示した処理フローに従い、デジタルサウンドファイル４の聴感上の不快要素の抽出処理を行い、サウンド情報ファイル３０を生成する。
【００８２】
ところで、ＭＰ３では、符号化データにその内容（例えば曲名）などを記入したタグファイルと呼ばれるファイルを添付することが通常行われている。このタグファイルの記述形式にはいくつかあるが、その代表的なものにＩＤ３ｖ２形式がある。
【００８３】
図９に、このＩＤ３ｖ２形式のタグファイル３２の概要を示すが、最大２５６メガバイトのファイル容量のうち、先頭の１０バイト分のヘッダ部３３を除くと他の領域はユーザが自由に使える自由記述部３４となっている。したがって、この自由記述部３４にサウンド情報ファイル３０を書き込むことが可能であり、また、自由記述部３４は、サウンド情報ファイル３０を収容するに十分な容量がある。
【００８４】
図８に戻ると、ＩＤ３ｖ２タグファイル生成部３１は、このＩＤ３ｖ２形式のタグファイル３２を生成する。このＩＤ３ｖ２タグファイル生成部３１にサウンド情報ファイル３０を入力することにより、サウンド情報ファイル３０に記された聴感上の不快要素に関する情報は、ＩＤ３ｖ２タグファイル３２の中の図９に示す自由記述部３４に保存される。
【００８５】
次に、図８では、デジタルデータ再生装置は、ＤＳＰ７で構成されるＭＰ３デコーダ５１により構成されている。ＭＰ３デコーダ５１は、ＭＰ３エンコーダ２１の出力あるいは図示しないデジタルデータ記録媒体の読み取りにより入力されたＭＰ３方式符号データ２８を復号化５２し、逆量子化５３した後、逆ハイブリッドフィルタバンク５４を通して音声信号のデジタルデータを生成するが、その際、同時に入力されたＩＤ３ｖ２タグファイル３２に記述された聴感上の不快要素に関する情報に基づいた聴感上の不快要素の除去も一緒に行う。その結果、ＭＰ３デコーダ５１の出力からは、聴感上の不快要素が除去された補正済みデジタルデータ５５が得られる。
【００８６】
このような本実施の形態のアナログ音源のデジタル化データ記録装置によれば、ＭＰ３エンコーダの心理聴覚分析結果を利用して、デジタルサウンドファイルに含まれる聴感上の不快要素を抽出することができ、上記抽出作業の省力化を図ることができる。また、抽出した聴感上の不快要素に関する情報を記録したサウンド情報ファイルをＩＤ３ｖ２形式タグファイルとして生成することができる。
【００８７】
また、本実施の形態のデジタルデータ再生装置によれば、ＩＤ３ｖ２形式タグファイルに記載された聴感上の不快要素に関する情報に基づいてＭＰ３デコーダによる聴感上の不快要素の除去ができ、上記除去作業の省力化を図ることができる。
【００８８】
さらに本発明は、上述したような各実施の形態に何ら限定されるものではなく、サウンド情報ファイルの記録形式、その生成方法およびその利用によるデジタルサウンドの補正方法は種々変形してもよい。また、デジタルデータ記録媒体は、ＣＤやＤＶＤなどのディスク状媒体のほか、半導体メモリ、あるいは半導体メモリカードなどの半導体メモリ装置としてもよい。このように本発明は、その主旨を逸脱しない範囲で種々変形して実施することができる。
【００８９】
【発明の効果】
本発明のアナログ音源のデジタル化データ記録装置、デジタルデータ再生装置およびアナログ音源のデジタル化データ記録／再生装置によれば、デジタル化のために行うアナログ音源の再生に際し発生した聴感上の不快要素のデジタルデータからの抽出、あるいは除去を高い精度で一律に行うことができ、上記抽出および除去作業の省力化を図ることができる。
【図面の簡単な説明】
【図１】本発明に係るアナログ音源のデジタル化データ記録装置の第１の実施の形態の構成を示すブロック図。
【図２】図１のサウンド情報生成部の第１の処理フローを示す処理フロー図。
【図３】図１のサウンド解析部およびサウンド情報生成部の第２の処理フローを示す処理フロー図。
【図４】本発明に係るデジタルデータ再生装置の第１の実施の形態の構成を示すブロック図。
【図５】サウンド情報ファイルに含まれる情報の例を示す図。
【図６】アダプティブエフェクト処理の内容を説明する図。
【図７】本発明に係るアナログ音源のデジタル化データ記録装置の第２の実施の形態の構成を示すブロック図。
【図８】本発明に係るアナログ音源のデジタル化データ記録／再生装置の第１の実施の形態の構成を示すブロック図。
【図９】ＩＤ３ｖ２形式のタグファイルの概要を示す図。
【図１０】従来のアナログ音源のデジタル化データ記録装置の例を示すブロック図。
【図１１】従来のアナログ音源のデジタル化データ記録装置の処理フローを示す処理フロー図。
【符号の説明】
１  アナログ音源
２  再生装置
３  Ａ／Ｄコンバータ
４  デジタルサウンドファイル
５  記録装置
６、１９、１５６  デジタルデータ記録媒体
７  デジタルシグナルプロセサ（ＤＳＰ）
８  サウンド解析部
９  レベル解析
１０  周波数解析
１１、２９  サウンド情報生成部
１２、３０  サウンド情報ファイル
１３  読み取り装置
１４  補正部
１５  アダプティブエフェクト処理
１６  Ｄ／Ａコンバータ
１７  アナログ出力
１８  補正済みデジタルサウンドファイル
２１  ＭＰ３エンコーダ
２２  ハイブリッドフィルタバンク
２３  心理聴覚分析部
２４  高速フーリエ変換
２５  心理聴覚分析
２６  量子化
２７  符号化
２８  ＭＰ３方式符号データ
３１  ＩＤ３ｖ２タグファイル生成部
３２  ＩＤ３ｖ２タグファイル
３３  ヘッダ部
３４  自由記述部
５１  ＭＰ３デコーダ
５２  復号化
５３  逆量子化
５４  逆ハイブリッドフィルタバンク
５５  補正済みデジタルデータ
１５１  記憶部
１５２  デジタルサウンドファイル加工／編集制御部
１５３  再生
１５４  サウンド解析
１５５  加工／編集
１５６  加工／編集済みデジタルサウンドファイル
【図１】
2004157202.tif 000003
【図２】
2004157202.tif 000004
【図３】
2004157202.tif 000005
【図４】
2004157202.tif 000006
【図５】
2004157202.tif 000007
【図６】
2004157202.tif 000008
【図７】
2004157202.tif 000009
【図８】
2004157202.tif 000010
【図９】
2004157202.tif 000011
【図１０】
2004157202.tif 000012
【図１１】
2004157202.tif 000013